(57)【特許請求の範囲】
【請求項１】
上部が開放された硬貨受入部と、前記硬貨受入部の底部側に配され前記硬貨受入部内の硬貨を繰出口から繰出す繰出部と、前記繰出部によって繰出された硬貨を検知する検知部とを備えた硬貨取扱装置において、
前記硬貨受入部の上部を覆うと共に、前記硬貨受入部に対して着脱可能に構成された蓋材を設け、
前記蓋材は、硬貨を投入する硬貨投入口と、異物を落下させる複数の異物除去穴が設けられ前記硬貨投入口から下方に向かって傾斜するガイド面と、前記ガイド面の下方に設けられ前記異物除去穴から落下した異物を集積する異物受け部とを有し、
前記蓋材を前記ガイド面および前記異物受け部と一体で取り外すことで、前記異物受け部に集積された異物の除去を可能にしたことを特徴とする硬貨取扱装置。
【請求項２】
請求項１に記載の硬貨取扱装置において、
前記硬貨投入口の幅を、取扱う最小径の硬貨の径よりも小さく、かつ立てた状態の硬貨のみを通過させる幅としたことを特徴とする硬貨取扱装置。
【請求項３】
請求項１に記載の硬貨取扱装置において、
前記ガイド面の両側に所定の傾斜をなすように上方に曲折させた補助ガイド面を設けたことを特徴とする硬貨取扱装置。
【請求項４】
請求項１または請求項２に記載の硬貨取扱装置において、
前記ガイド面を前記蓋材に対して着脱可能に構成し、
前記蓋材を取り外した後に、前記ガイド面を取り外して、前記異物受け部に集積された異物を除去することを特徴とする硬貨取扱装置。
【請求項５】
請求項１ないし請求項３のいずれか１項に記載の硬貨取扱装置において、
前記蓋材を取り外しておくことで、前記硬貨受入部に硬貨の投入を可能にしたことを特徴とする硬貨取扱装置。
【請求項６】
請求項１ないし請求項５のいずれか１項に記載の硬貨取扱装置において、
前記蓋材を、前記硬貨受入部の上部の全周に亘るスペーサを介して前記硬貨受入部に取り付けたことを特徴とする硬貨取扱装置。
【請求項７】
請求項１ないし請求項６のいずれか１項に記載の硬貨取扱装置において、
前記硬貨投入口に投入された硬貨を検知するためのセンサを設け、
前記硬貨投入口近傍に、前記センサに検知させるセンサ被検知部材を設けたことを特徴とする硬貨取扱装置。
【請求項８】
請求項７に記載の硬貨取扱装置において、
前記センサ被検知部材を前記硬貨受入部内に設けると共に、前記蓋材に前記センサ被検知部材に連結するレバーを設け、
前記レバーが押下されたとき、前記センサが前記センサ被検知部材を検知することを特徴とする硬貨取扱装置。
【発明の詳細な説明】
【技術分野】
【０００１】
本発明は、スーパーマーケットやコンビニエンスストア等の店舗のレジにおいて使用されるＰＯＳレジスタに接続する硬貨取扱装置に関する。
【背景技術】
【０００２】
従来の硬貨取扱装置は、顧客から受け取った硬貨を係員が硬貨投入口に投入すると、その硬貨は１枚ずつ入金搬送路へと繰出され、認識部へと搬送されてその金種および真偽が判別され、正当な硬貨はその金種に応じた選別孔から落下して金種別収納庫に収納されることにより、硬貨を金種ごとに収納している（例えば、特許文献１参照。）。
【特許文献１】特開２００５−２４２６６３号公報（段落「００１３」−段落「００１４」、第３図）
【発明の開示】
【発明が解決しようとする課題】
【０００３】
しかしながら、上述した従来の技術においては、いつでも釣銭としての硬貨の補充ができるように、硬貨投入口はいつでも開放された状態であって外部からの埃等の異物が入り易く、硬貨を投入したときに入金搬送路に異物が入り込んでしまう。特に異物が入金搬送路に設けられた硬貨を検知するためのセンサ部に異物が残留した場合は硬貨の検知を正確に行うことができないため、これらを防止するために硬貨取扱装置内の清掃等の保守点検を短い周期で実施する必要があるという問題がある。
【０００４】
本発明は、上記の問題点を解決するための手段を提供することを目的とする。
【課題を解決するための手段】
【０００５】
本発明は、上記課題を解決するために、上部が開放された硬貨受入部と、前記硬貨受入部の底部側に配され前記硬貨受入部内の硬貨を繰出口から繰出す繰出部と、前記繰出部によって繰出された硬貨を検知する検知部とを備えた硬貨取扱装置において、前記硬貨受入部の上部を覆うと共に、前記硬貨受入部に対して着脱可能に構成された蓋材を設け、前記蓋材は、硬貨を投入する硬貨投入口と、異物を落下させる複数の異物除去穴が設けられ前記硬貨投入口から下方に向かって傾斜するガイド面と、前記ガイド面の下方に設けられ前記異物除去穴から落下した異物を集積する異物受け部とを有し、前記蓋材を前記ガイド面および前記異物受け部と一体で取り外すことで、前記異物受け部に集積された異物の除去を可能にしたことを特徴とする。
【発明の効果】
【０００６】
これにより、本発明は、硬貨と共に投入されてしまった異物は、異物除去穴から異物受け部へと落下するために、異物が繰出し円盤上に落ちてしまいその先の搬送路へと繰出されてしまうことを防止することができるという効果が得られる。
【発明を実施するための最良の形態】
【０００７】
以下に、図面を参照して本発明による硬貨取扱装置を自動釣銭機としての実施例で説明する。
【実施例１】
【０００８】
図１は実施例１の硬貨受入部に取り付けられる蓋材を示す説明図であり、（ａ）は側断面図を示し、（ｂ）は上方から見た様子を示す。図２は硬貨受入部を示す外観斜視図である。
図１、図２において、１は硬貨受入部であり、上部が開放されていると共に、その開放された上部に投入された硬貨を後述する入金搬送路２７へと繰出すための回転円盤２５（繰出部）を底部側に配して構成され、後述する自動釣銭機１０の硬貨入出金部１１に投入される硬貨を受入れるものである。本実施例では硬貨受入部１の上部の開口を覆うように蓋材２が取り付けられている。
【０００９】
蓋材２は、硬貨受入部１に対して着脱可能に構成されており、略長方形状で形成されて硬貨を立てた状態で所定枚数重ねて一括投入が可能な硬貨投入口３を有する。
硬貨投入口３は、その開口の大きさが投入される最小径の硬貨の径よりも小さい幅で形成されることで、立てた状態の硬貨のみが投入可能でかつ、横向きの状態にした硬貨は投入ができないようになっている。
【００１０】
なお、蓋材２が硬貨受入部１に対して着脱可能であることから、大量の硬貨を投入するときは、硬貨受入部１から蓋材２を取り外しておくことで、硬貨投入に掛かる時間を短縮するような運用が可能となる。
４はガイド面であり、硬貨投入口３から下方に向かって傾斜し、回転円盤２５上方へと延びる傾斜面であって、投入された硬貨がその斜面を転がり回転円盤２５上に落下するようにすることで、硬貨を硬貨投入口３から回転円盤２５へと案内する。
【００１１】
ガイド面４には、硬貨と共に投入された異物を落とすための、例えば円状に形成された異物除去穴４ａが複数設けられている。
５は異物受け部であり、ガイド面４の下方を覆うように構成されており、異物除去穴４ａから落下した異物を受止めて集積する。
なお、ガイド面４は蓋材２から取り外し可能となっており、蓋材２を硬貨受入部１から取り外してから、ガイド面４を蓋材２から取り外すことで異物受け部５に集積した異物が除去できるようになる。
【００１２】
また、硬貨投入口３の幅を立てた状態の硬貨のみが通る幅とすることによって、硬貨上に異物が乗っかってしまうことを防止している。
図３は実施例１の自動釣銭機を示す外観斜視図である。
図３において、１０は自動釣銭機であり、紙幣および硬貨の入出金処理を行うものである。
【００１３】
この自動釣銭機１０はＰＯＳレジスタ３５と相互に通信可能に接続されていて、ＰＯＳレジスタ３５によって紙幣および硬貨の入出金管理が行なわれる。
また、自動釣銭機１０は、硬貨の入出金を行うための硬貨入出金部１１と、紙幣の入出金を行うための紙幣入出金部１２とによって構成されている。
１４は硬貨出金口であり、出金する硬貨を蓄積する出金口である。硬貨の釣銭が必要なときは硬貨入出金部１１内に収納された硬貨をこの硬貨出金口１４に払い出す。
【００１４】
１５は硬貨リジェクト口であり、硬貨投入口３に投入された硬貨を硬貨入出金部１１内に引き込み鑑別した結果、１円、５円、１０円、５０円、１００円、５００円硬貨のいずれでもないと判断したリジェクト硬貨を返却する返却口である。
１６は紙幣入出金口であり、入金する紙幣を投入する紙幣投入口および出金する紙幣を蓄積する出金口である。この紙幣入出金口１６に投入された紙幣は紙幣入出金部１２内に引き込まれて金種別に振り分けて図示しない紙幣収納庫に収納される。
【００１５】
１７は紙幣回収カセットであり、紙幣入出金部１２内の紙幣収納庫に収納した紙幣を一括して回収する場合や出金時に異常な紙幣を検出した場合にその紙幣を収納するカセットである。
１８は表示操作部であり、液晶ディスプレイ等の表示部とその表示部上に配されたタッチパネル等の操作部とからなり、操作者への操作案内を表示する他、操作者による入力操作等を受け付ける。
【００１６】
図４は実施例１の自動釣銭機を示すブロック図である。
図４において、２０は制御部であり、記憶部２１に格納された制御プログラムに従って自動釣銭機１０の各部を制御して各種処理を遂行する。
２１は記憶部であり、制御プログラムを格納する他、制御部２０による処理結果を記憶する。
【００１７】
２２、２３、２４はＩ／Ｏポートであり、制御部２０からの各種指示を自動釣銭機１０の各部に送信する。
Ｉ／Ｏポート２２は、表示操作部１８と接続して、制御部２０からの画面表示等の動作指示等を表示操作部１８に伝える他、顧客の操作によるタッチパネルの入力信号を制御部２０に伝える。
【００１８】
Ｉ／Ｏポート２３は、硬貨入出金部１１が備えるモータやソレノイド等の駆動源や各種センサ等に接続し、制御部２０からの硬貨の入出金に関する動作指示を硬貨入出金部１１に伝える。
Ｉ／Ｏポート２４は、紙幣入出金部１２が備えるモータやソレノイド等の駆動源や各種センサ等に接続し、制御部２０からの紙幣の入出金に関する動作指示を紙幣入出金部１２に伝える。
【００１９】
なお、記憶部２１には、硬貨入出金部１１と紙幣入出金部１２とが備える駆動源の制御等の手順を実行するファームウェアが格納されている。
図５は硬貨入出金部を示す概略構成図であり、（ａ）は上断面を示し、（ｂ）は側断面を示す。
図５において、２５は回転円盤であり、回転によって硬貨投入口３に投入された硬貨を分離して入金搬送路２７に繰出す。
【００２０】
なお、回転円盤２５によって繰出される硬貨は繰出口を通過するようになっており、この繰出口は硬貨２枚の厚みよりも小さく、かつ硬貨１枚の厚みより大きい大きさで開口するように形成され、これによって硬貨が重なった状態で繰出口を通過することを防止するようにしている。
２６は硬貨センサであり、回転円盤２５上に落下する硬貨を検知する発光部と受光部を有する光学式等のセンサであり、投入された硬貨によって発光部の光が遮られることで硬貨の検知を行う。なお、硬貨センサ２６で硬貨を検知することで、回転円盤２５が回転するように設定されているものとする。
【００２１】
２７は入金搬送路であり、搬送面２８上をモータとプーリ等によって駆動される無端状の搬送ベルト２９によって硬貨を押さえながら搬送するように構成される。
搬送面２８は、その搬送方向に沿って金種ごとの硬貨の径に合う大きさに開く複数の選別孔３０を設けている。
３１ａ〜３１ｆは金種別収納庫であり、硬貨を金種ごとに収納する収納庫であり、選別孔３０の大きさに応じて１円、５０円、５円、１００円、１０円、５００円の硬貨がそれぞれの収納庫に落下し、入金された硬貨を金種ごとに収納する。
【００２２】
３２は出金搬送路であり、金種別収納庫３１ａ〜３１ｆの下方に設けられ、モータとプーリ等によって駆動される無端状のベルトを有しており、金種別収納庫３１ａ〜３１ｆから落下した硬貨を硬貨出金口１４に搬送する。
３３は入金リジェクト部であり、図示しない硬貨の真偽を鑑別する鑑別部で鑑別したリジェクト硬貨を収納し、前記硬貨リジェクト口１５を取り付けていることで収納したリジェクト硬貨の係員による取り出しが可能となる。
【００２３】
３４は検知部であり、入金搬送路２７に配された光学式のセンサであって、回転円盤２５によって繰出された硬貨を検知する。
上述した構成において、投入される硬貨に異物が含まれていた場合の異物の除去について説明する。
硬貨投入口３に投入された硬貨は、ガイド面４を転がり落ちて回転円盤２５上に落下する。
【００２４】
制御部２０は、硬貨センサ２６によって硬貨を検知すると、回転円盤２５を回転させる。
回転円盤２５が回転することで、回転円盤２５上にある硬貨は入金搬送路２７に繰出され、その入金搬送路２７によって搬送される。
入金搬送路２７の選別孔３０の内、その径に合った選別孔３０で落下してその下方に配された金種別収納庫３１ａ〜３１ｆの何れか１つに収納される。
【００２５】
一方、投入された硬貨と共に異物が投入されてしまったとき、その異物はガイド面４に設けられた異物除去穴４ａから落下して異物受け部５に集積する。
そして、自動釣銭機１０を取扱う係員は、蓋材２を硬貨受入部１から取り外し、その蓋材２からガイド面４を取り外して異物受け部５に集積した異物を除去する。
以上説明したように、本実施例では、硬貨受入部に着脱可能な蓋材を装着することで、蓋材の投入口に設けた異物除去穴によって硬貨と共に異物が投入されてしまった場合でも、その異物が異物除去穴から落下して異物受け部に集積するので、異物が検知部に残留することで、硬貨の繰出しの有無が検知できなくなる等の障害の発生を防止できる。
【００２６】
また、異物が入金搬送路に入り込んでしまうことによる障害の発生を防止することで、入金搬送路における清掃等の保守点検の頻度を低減できる。
【実施例２】
【００２７】
図６は実施例２の蓋材を示す説明図であり、（ａ）は斜視図、（ｂ）は側断面図を示している。
なお、上記実施例１と同様の部分は、同一の符号を付してその説明を省略する。
なお、本実施例の蓋材４０には上記実施例１の構成に加えセンサ遮蔽部４１と、板バネ等によってなるバネ材４２を取り付けている。
【００２８】
図６において、センサ遮蔽部４１は、Ｌ字型に形成されて硬貨受入部１内へ硬貨センサ２６を遮光する位置に伸びる遮蔽材（センサ被検知部材）４１ａと、蓋材４０の上方に伸びる略Ｓ字状のレバー４１ｂとが連結されて構成され、バネ材４２によって上方への付勢力が作用し、押し上げられている状態となっている。
このように構成することにより、センサ遮蔽部４１の遮蔽材４１ａは、硬貨センサ２６の光軸から離れた位置、つまり遮光しない位置に退避し、係員によりレバー４１ｂが押下されたときにバネ材４２が撓み、レバー４１ｂの押下に連動して遮蔽材４１ａが下降する。
【００２９】
遮蔽材４１ａは、下降することで硬貨センサ２６の光を遮る位置に移動し、これによって制御部２０は回転円盤２５を回転させるための制御を行うようになる。
以上説明したように、本実施例では、上記実施例１の効果に加えて、センサ遮蔽部を設けて、係員がそのセンサ遮蔽部のレバーを押下して、遮蔽材を下降させることで強制的に回転円盤を回転させることが可能となる。即ち、回転円盤の回転指令を硬貨の有無に関わらず出力することになるので、硬貨を投入したにもかかわらず硬貨センサによる検知がうまくいかずに回転円盤が回転せずに、硬貨が回転円盤上に残ったままとなってしまうことを防止することができる。
【実施例３】
【００３０】
上記各実施例と同様の部分は同一の符号を付してその説明を省略するものとし、上記各実施例に対して傾斜部を設けた点が相違する。
図７は実施例３の蓋材を示す説明図であり、（ａ）は上方から見た斜視図、（ｂ）は側断面図を示している。
なお、本実施例の硬貨投入口６０は、上記実施例１の硬貨投入口３のような立てた状態の硬貨の投入だけに限定するように開口しているものではなく、硬貨を横向きにして投入できる程度の広さで開口しているものとなっている。
【００３１】
図７において、４５は傾斜部であり、ガイド面４と、そのガイド面４の硬貨が滑り落ちる方向に対する左右両側で所定の角度で傾斜をなすように上方に曲折する補助ガイド面４７とによって形成されており、例えば１枚の板材を曲折することでこのようなガイド面４と補助ガイド面４７とを形成している。
また傾斜部４５は、上記実施例１において説明した異物除去穴４ａを複数備えているものとする。
【００３２】
本実施例の異物受け部５０は、補助ガイド面４７の異物除去穴４ａから落下した異物を集積できるように、傾斜部４５の大きさに合わせた大きさに形成される。
上記の構成の作用について説明する。
図８は硬貨が滑り落ちる様子を示す説明図であり、（ａ）は硬貨が傾斜部から傾斜面へと滑り落ちる様子を示し、（ｂ）は硬貨がガイド面から滑り落ちる様子を示している。
【００３３】
硬貨投入口６０に投入された硬貨は、ガイド面４に沿って滑り落ちる。
このとき補助ガイド面４７側に投入されてしまった硬貨については、図８（ａ）に示すように補助ガイド面４７に沿ってガイド面４へと滑り落ちていく。
滑り落ちてガイド面４に達した硬貨は、図８（ｂ）に示すように補助ガイド面４７に寄りかかるように傾いてガイド面４に沿って滑り落ちていく。
【００３４】
ここで、硬貨と共に投入されてしまった異物は、異物除去穴４ａから落下してその下方に配されている異物受け部５０に集積する。
また異物が硬貨上に乗ったまま投入された場合は、硬貨が補助ガイド面４７に寄りかかるように傾くことから、異物は硬貨からガイド面４および補助ガイド面４７に落ちて異物除去穴４ａを通って異物受け部５０に集積される。
【００３５】
以上説明したように、本実施例においては、上記実施例１の効果に加えて、ガイド面と補助ガイド面とからなる傾斜部を形成したことによって、硬貨が投入される開口が広くなるので、その分より多くの硬貨をまとめて投入することができるという効果が得られる。
また、補助ガイド面を設けたことによって、硬貨を横向きにして投入してもその硬貨は補助ガイド面に寄りかかった状態で傾くので、硬貨の上に異物が乗っていても、その異物は傾いた硬貨から傾斜部の上に落ちてさらに異物除去穴から異物受け部に落下するようになり、硬貨の投入する向きを規制する必要が無くなるという効果が得られる。
【実施例４】
【００３６】
上記各実施例と同様の部分は同一の符号を付して省略する。
図９は実施例４の蓋材を示す説明図であり、（ａ）は斜視図を示し、（ｂ）は側面図を示している。
図９において、６はスペーサであり、環状に形成されると共に硬貨受入部１の上部全周に亘って脱着可能に取り付けられるように形成され、蓋材２と硬貨受入部１との間に取り付けるものであって、これによりセンサ遮蔽部４１の遮蔽材４１ａやガイド面４を回転円盤２５から離して回転円盤２５上方の空間を広くするためのものである。
【００３７】
このようなスペーサ６を介して蓋材２を硬貨受入部１に取り付けることによって、回転円盤２５上方の空間が広くなるので、投入される硬貨を受入れる容量を確保することができ、釣銭補充等によって大量の硬貨が投入された際にその硬貨が回転円盤２５上に落下する途中で詰まって落ちなくなってしまう等の障害が発生するのを防止し、大量の硬貨が投入されても確実に回転円盤２５上へと落下させることができる。
【００３８】
以上説明したように、本実施例は上記各実施例の効果に加えて、スペーサを介して蓋材を硬貨受入部に取り付けることで複数枚の硬貨が投入されても、硬貨詰まりが起きることなく、それらの硬貨を確実に繰出し円盤に落下させることができ、業務効率を向上させることができるという効果が得られる。
なお、上記各実施例においては、ＰＯＳレジスタと接続する自動釣銭機を例に説明したが、これに限るものではなく、銀行等の金融機関で使用される窓口端末（自動テラー現金預払機）等の金融機関の係員が窓口取引で用い、現金を取扱う端末に適用してもよい。
【００３９】
更には硬貨以外にメダル等を取扱うの処理機に適用しても上述した各実施例の効果と同様の効果を得ることができる。
【図面の簡単な説明】
【００４０】
【図１】実施例１の硬貨受入部に取り付けられる蓋材を示す説明図
【図２】硬貨受入部を示す外観斜視図
【図３】実施例１の自動釣銭機を示す外観斜視図
【図４】実施例１の自動釣銭機を示すブロック図
【図５】硬貨入出金部を示す概略構成図
【図６】実施例２の蓋材を示す説明図
【図７】実施例３の蓋材を示す説明図
【図８】硬貨が滑り落ちる様子を示す説明図
【図９】実施例４の蓋材を示す説明図
【符号の説明】
【００４１】
１    硬貨受入部
２、４０  蓋材
３、６０  硬貨投入口
４    ガイド面
４ａ  異物除去穴
５、５０  異物受け部
６    スペーサ
１０  自動釣銭機
１１  硬貨入出金部
１２  紙幣入出金部
１４  硬貨出金口
１５  硬貨リジェクト口
１６  紙幣入出金口
１７  紙幣回収カセット
１８  表示操作部
２０  制御部
２１  記憶部
２２、２３、２４  Ｉ／Ｏポート
２５  回転円盤
２６  硬貨センサ
２７  入金搬送路
２８  搬送面
２９  搬送ベルト
３０  選別孔
３１ａ〜３１ｆ  金種別収納庫
３２  出金搬送路
３３  入金リジェクト部
３４  検知部
３５  ＰＯＳレジスタ
４１  センサ遮蔽部
４１ａ  遮蔽材
４１ｂ  レバー
４２  バネ材
４５  傾斜部
４７  補助ガイド面
【図１】
0004877275.tif 000002
【図２】
0004877275.tif 000003
【図３】
0004877275.tif 000004
【図４】
0004877275.tif 000005
【図５】
0004877275.tif 000006
【図６】
0004877275.tif 000007
【図７】
0004877275.tif 000008
【図８】
0004877275.tif 000009
【図９】
0004877275.tif 000010